(57)【要約】      （修正有）【課題】脱衣室から浴室内への入室時、及び、入浴中から出浴して洗い場に移動した時の急激な温度変化で起きるヒートショックによる危険等、水位センサの入出浴検知では防ぎ切れない危険を防止する風呂給湯装置を提供する。【解決手段】制御装置２８には、人感センサ３３の検出結果に基づいて、人が浴室内に入室したか浴室内から退室したかを判定する入退室判定手段３４と、入退室判定手段３４で人が入室したと判定した場合、タイマーのカウントを開始すると共に、入退室判定手段３４で人が退室したと判定した場合、カウントをリセットするタイマー手段３７と、タイマーのカウントが所定の報知時間に到達した場合、報知時間に到達した旨を報知手段により報知する報知制御手段３８とを備え、リモコンには、タイマー手段３７のカウントを開始するか否かを予約設定するタイマー予約スイッチ３９を設けた。【選択図】図１
2020094748.tif 000002
【特許請求の範囲】
【請求項１】
浴室内における人の動きを検出する人感センサと、少なくとも浴室外に設けられ、浴室外に浴室内の情報を報知する報知手段を有したリモコンと通信可能に接続された制御装置とを備えた風呂給湯装置において、
前記制御装置には、前記人感センサの検出結果に基づいて、人が浴室内に入室したか浴室内から退室したかを判定する入退室判定手段と、前記入退室判定手段で人が入室したと判定した場合、タイマーのカウントを開始すると共に、前記入退室判定手段で人が退室したと判定した場合、カウントをリセットするタイマー手段と、前記タイマーのカウントが所定の報知時間に到達した場合、前記報知時間に到達した旨を前記報知手段により報知する報知制御手段とを備え、
前記リモコンには、前記タイマー手段のカウントを開始するか否かを予約設定するタイマー予約スイッチを設けたことを特徴とする風呂給湯装置。
【請求項２】
前記制御装置は、前記タイマー予約スイッチで前記予約設定がされていた場合、浴室への入室があったら、人感センサの感度を上昇させるとともに前記タイマーのカウントを開始し、前記タイマーが前記報知時間に到達した場合、前記報知手段により報知し、前記人感センサの感度を元に戻すようにしたことを特徴とする請求項１記載の風呂給湯装置。
【請求項３】
前記制御装置は、前記タイマー予約スイッチで前記予約設定がされていた場合、浴室への入室があったら、人感センサの感度を上昇させるとともに前記タイマーのカウントを開始し、前記タイマーが前記報知時間に到達した場合、前記報知手段により報知し、前記入退室判定手段で人が浴室から退室したことを判定したら、前記人感センサの感度を元に戻すようにしたことを特徴とする請求項１記載の風呂給湯装置
【発明の詳細な説明】
【技術分野】
【０００１】
本発明は、人が入室したら報知時間までカウントを開始すると共に前記報知時間が経過したら報知する機能を有した風呂給湯装置に関するものである。
【背景技術】
【０００２】
従来より、人が浴槽内に入出浴したことを検知する入出浴判定手段と（水位センサ）、入出浴判定手段の検出値に基づいて人が入浴したときにカウントを開始する湯上がりタイマーとを備えた浴槽内異常検知システムにおいて、人が入浴したまま、静止状態にあることを水位センサで検知している時間を前記タイマーでカウントし、前記時間のカウントが所定時間を超えたときに浴槽内異常の発生可能性を報知する報知手段を備えたものが知られていた（特許文献１参照）。
【先行技術文献】
【特許文献】
【０００３】
【特許文献１】特開２００２−２３６９８４号公報
【発明の概要】
【発明が解決しようとする課題】
【０００４】
しかし、昨今では脱衣室から浴室内への入室時、及び、入浴中から出浴して洗い場に移動した時の急激な温度変化で起きるヒートショックの防止が課題となっており、水位センサの入出浴検知では防ぎ切れない危険を防止することが課題となっていた。
【課題を解決するための手段】
【０００５】
本発明は上記課題を解決するため、浴室内における人の動きを検出する人感センサと、少なくとも浴室外に設けられ、浴室外に浴室内の情報を報知する報知手段を有したリモコンと通信可能に接続された制御装置とを備えた風呂給湯装置において、前記制御装置には、前記人感センサの検出結果に基づいて、人が浴室内に入室したか浴室内から退室したかを判定する入退室判定手段と、前記入退室判定手段で人が入室したと判定した場合、タイマーのカウントを開始すると共に、前記入退室判定手段で人が退室したと判定した場合、カウントをリセットするタイマー手段と、前記タイマーのカウントが所定の報知時間に到達した場合、前記報知時間に到達した旨を前記報知手段により報知する報知制御手段とを備え、前記リモコンには、前記タイマー手段のカウントを開始するか否かを予約設定するタイマー予約スイッチを設けた。
【０００６】
また、前記制御装置は、前記タイマー予約スイッチで前記予約設定がされていた場合、浴室への入室があったら、人感センサの感度を上昇させるとともに前記タイマーのカウントを開始し、前記タイマーが前記報知時間に到達した場合、前記報知手段により報知し、前記人感センサの感度を元に戻すようにした。
【０００７】
また、前記制御装置は、前記タイマー予約スイッチで前記予約設定がされていた場合、浴室への入室があったら、人感センサの感度を上昇させるとともに前記タイマーのカウントを開始し、前記タイマーが前記報知時間に到達した場合、前記報知手段により報知し、前記入退室判定手段で人が浴室から退室したことを判定したら、前記人感センサの感度を元に戻すようにした。
【発明の効果】
【０００８】
本発明によれば、タイマー手段のカウントの開始及び終了は、人感センサの検出値に基づいて判定する入退室判定手段が行っており、脱衣室から浴室内への入室時、及び、入浴中から出浴して洗い場に移動した時の急激な温度変化でヒートショックが起きたとしても、所定の報知時間で異常状態と判断でき、早急な対応ができるとともに、入室から退室までの経過時間をカウントしているので、従来のような入浴から出浴までの時間をカウントする湯上がりタイマーのような使い方もできるため、入浴中の異常だけでなく入室時や洗い場への移動時にも対応した異常状態を早急に判断することで、安全な入浴環境を提供することができる。
【０００９】
また、リモコンはタイマー予約スイッチを設け、制御装置はタイマー予約スイッチがＯＮになっている場合、人が入室したと判定されるとタイマー手段のカウントを自動で開始するため、人が浴室に入るタイミングがわからなくても適切なタイミングでカウントを開始させることができるとともに、タイマー手段のカウントが不必要な場合では、タイマー予約スイッチをＯＦＦにしておけば、煩わしい報知をしないようにすることができる。
【図面の簡単な説明】
【００１０】
【図１】本発明の第１実施形態の概略説明図
【図２】本発明の報知動作を表すフローチャート
【発明を実施するための形態】
【００１１】
次に、本発明の第１実施形態を図面に基づいて説明する。
１は温水を貯湯する貯湯タンク、２は温水を加熱する加熱手段としてのヒートポンプユニット、３は浴槽である。
【００１２】
４は貯湯タンク１とヒートポンプユニット２を循環可能に接続する加熱循環回路で、加熱循環ポンプ５を有し貯湯タンク１の下部に接続されたヒーポン往き管及び貯湯タンク１上部に接続されたヒーポン戻り管より構成され、貯湯タンク１下部の冷水を、ヒーポン往き管を介してヒートポンプユニット２で加熱し、加熱された高温の温水をヒーポン戻り管で貯湯タンク１上部に戻して貯湯タンク１内に温水を加熱貯湯するものである。なお、貯湯タンク１の外周面には貯湯温度センサ６を有しており、この貯湯温度センサ６が所定温度以上を検出することで貯湯量を検知するものである。
【００１３】
７は貯湯タンク１に水を供給する給水管、８は貯湯タンク１内の温水を出湯する出湯管、９は給水管７から分岐し、貯湯タンク１を迂回する給水バイパス管、１０は給水バイパス管９からの冷水と出湯管８からの温水を設定温度になるように混合する給湯混合弁、１１は混合された設定温度の温水を給湯する給湯管、１２は給湯管１１の端部に設けられる給湯栓である。１３は給湯混合弁１０の下流に設けた給湯温度センサ、１４は給湯量をカウントする給湯流量センサである。なお、１５は水道圧を所定の圧力に減圧する減圧弁、１６は加熱されることによる過圧を逃がす圧力逃し弁である。
【００１４】
１７は風呂循環回路で、貯湯タンク１内の湯水と循環する風呂の湯水とを熱交換させる風呂熱交換器１８と浴槽３とを、浴槽３から風呂熱交換器１８に向かう風呂往き管１７ａ及び風呂熱交換器１８から浴槽３に向かう風呂戻り管１７ｂとで循環可能に接続するものである。そして、１９は浴槽３と風呂循環回路１７を接続する循環口である。
【００１５】
２０は風呂循環回路１７に設けられた風呂循環ポンプ、２１は流水の有無を検出する流水センサ、２２は風呂循環回路１６を流れる風呂の温度を検出する風呂温度センサ、２３は湯水の水圧から浴槽３内の水位を検出する水位センサであり、風呂循環回路１７途中の風呂循環ポンプ２０よりも上流側に設けられている。
【００１６】
２４は給湯管１１途中から分岐されて風呂循環回路１７に接続され浴槽３への湯張りを行うための湯張り管、２５はこの湯張り管２４に設けられ浴槽３への湯張りの開始、停止を行う湯張り弁、２６は浴槽３への湯張り量をカウントする風呂流量センサである。
【００１７】
２７はヒートポンプユニット２の加熱制御を行う加熱制御部、２８は給湯および風呂の制御を行う制御装置で、貯湯温度センサ６、給湯温度センサ１３、給湯流量センサ１４、流水センサ２１、風呂温度センサ２２、水位センサ２３、風呂流量センサ２６、の検出値が入力され、加熱循環ポンプ５、給湯混合弁１０、風呂循環ポンプ２０、湯張り弁２６を駆動するものである。
【００１８】
２９は制御装置２８と通信可能で、浴室内に設けられた浴室内リモコンであり、操作部３０と、設定内容を表示する表示部３１と、スピーカー等の音を発生させる音発生部３２と、浴室内における人の体動の有無を検出すると共に、浴室への入室と浴室からの退室を検出すると共に浴室内に人がいることを体動による温度変化を検知する人感センサ３３とが設けられている。この表示部３１及び音発生部３２からなる報知手段で報知をおこなっている。
【００１９】
人感センサ３３は、検出エリア内の熱源の温度変化量を検出する焦電センサであり、浴室に人がいて、動きがあることを検出する。具体的には、人感センサ３３は、人が移動したときや手足などを動かすことによる検出エリアの温度変化を検出することにより、浴室内に人がおり、人の体動の有無を検出すると共に、浴室への入室と浴室からの退室を検出するものであり、人感センサ３３の検出結果に基づいて、入退室判定手段３４で浴室内への入室と浴室外への退室との判定を行うと共に浴室内の人が動いているか否かの判定を行う。
【００２０】
また、人感センサ３３の検出エリアを詳しく説明すると、入浴中の人も洗い場でシャワーを浴びている人も等しく検出できるものが望ましく、少なくとも人の入退室及び人が浴槽に浸かっていても入浴者の体動が検出できるような範囲を検出できる人感センサ３３である。
【００２１】
また、この焦電センサからなる人感センサ３３は、複数の増幅回路を有しており、この複数の増幅回路は制御装置２８が制御している。この複数の増幅回路を必要に応じて切り替えることで、人感センサ３３の検出値を増幅させ、人感センサ３３の感度を変更している。さらに、人感センサ３３の感度は、人の動作の有無を検出する温度変化量の閾値を下げることにより上げても良い。
【００２２】
そして、３５は制御装置２８と通信可能で、浴室外に設けられた浴室外リモコンであり、浴室内リモコン２９と同様に操作部３０、表示部３１、音発生部３２を有していて、浴室内の情報を表示部３１及び音発生部３２からなる報知手段で浴室外に報知することができる。
【００２３】
さらに、制御装置２８には、自動保温運転時の動作を制御する保温運転制御手段３６と、入室判定がされてから、退室判定されるまでの時間をカウントするタイマー手段３７と、浴室内で入浴者に異常が発生した時に浴室内リモコン２９及び浴室外リモコン３５に備えた表示部３１および音発生部３２を用いて、浴室内で入浴者に異常が発生した旨を報知させる報知制御手段３８が備えられている。
【００２４】
また、少なくとも浴室外リモコン３５には、タイマー手段３７によるタイマーのカウントを行うか否かを設定するタイマー予約スイッチ３９が設けられており、タイマー予約スイッチ３９をＯＮにすると、人が浴室内に入室したことを入退室判定手段３４が判定すると、制御装置２８のタイマー手段３７はタイマーのカウントを開始し、人が退室したと判定するまでカウントを続ける。途中、予め設定された所定の報知時間に到達すると、報知制御手段３８は浴室内で入浴者に異常が発生したと判断して、音発生部３２から報知を行う。
【００２５】
次に、沸き上げ運転について説明する。
沸き上げ要求があると、制御装置２８は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き上げる。
【００２６】
次に、給湯動作ついて説明する。
給湯栓１２が開かれると給水管７から給水され、貯湯タンク１下部に流入すると共に給水バイパス管９を通り、貯湯タンク１上部から押し出された高温水と給水バイパス管９の給水が給湯ミキシング弁１０で混ぜ合わされ、給湯設定温度と給湯サーミスタ１３で検出された温度が同じなるように調整された湯水が給湯栓１２から給湯される。
【００２７】
そして、保温運転制御手段３６は、湯張り運転完了後から浴室内リモコン２９および浴室外リモコン３５で予め設定された浴槽の湯を一定温度に沸き上げる自動保温運転の設定時間（ここでは約３時間）の間、繰り返し行う。
【００２８】
次に、本実施形態のタイマーと報知について図２のフローチャートに基づいて詳しく説明する。
まず、制御装置１８は、ユーザーによりタイマー予約スイッチ３９がＯＮになっているかを確認し（Ｓ１）、タイマー予約がされている場合（Ｓ１がＹｅｓ）、人感センサ３３の検出値に基づいて判定する入退室判定手段３４は人が浴室に入室したことを判定すると（Ｓ２がＹｅｓ）、タイマー手段３７はタイマーのカウントを開始すると共に、制御装置１８は人感センサ３３の感度を上げる（Ｓ３）。
【００２９】
タイマー手段３７がタイマーのカウントが開始してから、所定の報知時間に到達する前に、人感センサ３３の検出値に基づいて判定する入退室判定手段３４が人の退室を判定した場合（Ｓ４がＹｅｓ）、タイマー手段３７はタイマーのカウントをリセットし、制御装置１８は人感センサ３３の感度を元に戻す（Ｓ５）。
【００３０】
また、タイマー手段３７がタイマーのカウントが開始してから、タイマーのカウントが所定の報知時間に到達したら（Ｓ６がＹｅｓ）、制御装置１８は浴室外リモコン３５の表示部３１と音発生部３２で報知する（Ｓ７）
【００３１】
このように、タイマー手段３７のカウントの開始及び終了は、人感センサ３３の検出値に基づいて判定する入退室判定手段３４が行っており、脱衣室から浴室内への入室時、及び、入浴中から出浴して洗い場に移動した時の急激な温度変化でヒートショックが起きたとしても、所定の報知時間で異常状態と判断でき、早急な対応ができるとともに、入室から退室までの経過時間をカウントしているので、従来のような入浴から出浴までの時間をカウントする湯上がりタイマーのような使い方もできるため、入浴中の異常だけでなく入室時や洗い場への移動時にも対応した異常状態を早急に判断することができ、安全な入浴環境を提供することができる。
【００３２】
そして、報知後も、タイマーのカウントは継続させ、入退室判定手段３４が人の退室を判定した場合（Ｓ８がＹｅｓ）、タイマーのカウントを終了し、人感センサ３３の感度を元に戻す（Ｓ９）。
【００３３】
このように、入室判定時に人感センサ３３の感度を上げて、退室判定時に人感センサ３３の感度を戻すことで、人感センサ３３の感度を上げたことにより、人が入浴中に浴槽水面から出ている手や頭が動くような細かい動作の場合でも人がまだ正常な状態で浴室にいるのに、動きがないので退室していると誤判定することを防止することができるとともに、人感センサ３３を元に戻すことにより、浴室内に人が居ないのに湯気などの動きでいつまでも浴室内に人がいると誤判定することを防ぐことができる。
【００３４】
また、リモコンはタイマー予約スイッチ３９を設け、制御装置２８はタイマー予約スイッチ３９がＯＮになっている場合、人が入室したと判定されるとタイマー手段３７のカウントを自動で開始するため、人が浴室に入るタイミングがわからなくても適切なタイミングでカウントを開始させることができるとともに、タイマー手段３７のカウントが不必要な場合では、タイマー予約スイッチ３９をＯＦＦにしておけば、必要のない報知を行わず、煩わしさをあたえないようにすることができる。
【００３５】
なお、本発明は本実施例に限定されるものではなく、要旨を変更しない範囲で改変する事を妨げるものではなく、例えば、今回はヒートポンプ式貯湯給湯機を用いて説明したが、貯湯タンク１内にヒーターを設けたものやバーナなどの熱源で湯水を加熱する給湯機でもよいものである。
【００３６】
また、本実施例では水位センサ２３を備えてはいるが、水位センサ２３を用いない方法でタイマーの報知を行っているので、風呂回路が備えられていない給湯機にも利用する事ができる。
【００３７】
また、所定の報知時間に到達したタイミングで報知を行っているが、報知タイミングはこれに限らず、タイマーのカウントを継続させたあとに所定の条件（例えば、報知後に一定時間毎）で報知して、退室の判定がされてからタイマーのカウントを終了することで、人が入浴中に気を失っている場合でも、洗い場で倒れた場合でも、継続した見まもりを行うことができる。
【００３８】
また、所定の報知時間に到達し、報知を行ったタイミングで、タイマーのカウントを終了し、人感センサ３３の感度を元に戻すようにしても良い。
【符号の説明】
【００３９】
１      貯湯タンク
２８    制御装置
３１    表示部（報知手段）
３２    音発生部（報知手段）
３３    人感センサ
３４    入退室判定手段
３５    浴室外リモコン
３７    タイマー手段
３８    報知制御手段
３９    タイマー予約スイッチ
【図１】
2020094748.tif 000003
【図２】
2020094748.tif 000004